(57)【要約】  【課題】  移動の多い携帯端末等を含む放送記録装置では、放送記録中に受信状態が変動し、視聴が困難になる場合が想定されるが、受信状態は回復する可能性もあり、即座に記録を打ち切ることはできない。しかし、受信状態が悪化した場合に、十分な受信レベルが得られない状態で記録を続けることは限られた記録媒体および電力の無駄遣いとなってしまうという課題がある。  【解決手段】  本発明は、かかる実情に鑑み、放送記録中に受信状態に応じて、記録の一時停止・再開を可能とする放送記録装置を提案する。  受信レベルをチェックし、放送の受信が困難な状態であれば、記録を一時停止し、受信状態が回復したら再開するものである。また、記録の実行・中断の状況に関する情報を視聴者に表示し、記録したデータ再生の際の便宜を供することができる。【選択図】            図２
2006140583.tif 000002
【特許請求の範囲】
【請求項１】
放送を受信するための受信部と、
前記受信部で受信した放送を記録する記録部と、
前記受信部での受信レベルが所定の条件を満たしているか判断する受信レベル判断部と、
前記受信レベル判断部での判断結果が、受信レベルが所定の条件を満たしたとの判断結果である場合には、前記記録部での記録を実行し又は中断させるための命令である記録命令を出力する記録命令出力部と、
を有する放送記録装置。
【請求項２】
前記記録部での記録状況情報を管理する記録状況情報管理部と、
前記記録状況情報管理部で管理されている記録状況情報を表示する表示部と、
をさらに有する請求項１に記載の放送記録装置。
【請求項３】
前記記録状況情報管理部は、前記記録命令に基づいた記録中断時間を計算する記録中断時間計算手段を有する請求項２に記載の放送記録装置。
【請求項４】
前記記録状況情報管理部は、前記記録命令に基づいた記録中断回数を計算する記録中断回数計算手段を有する請求項２又は３に記載の放送記録装置。
【請求項５】
前記記録状況情報管理部での記録状況情報に基づいて再生すべき記録放送部分である再生パートを抽出する再生パート抽出部を有する請求項２から４のいずれか一に記載の放送記録装置。
【請求項６】
請求項１から５のいずれか一に記載の放送記録装置を備えた携帯型端末装置。
【請求項７】
放送を受信するための受信ステップと、
前記受信ステップで受信した放送を記録する記録ステップと、
前記受信ステップでの受信レベルが所定の条件を満たしているか判断する受信レベル判断ステップと、
前記受信レベル判断ステップでの判断結果が、受信レベルが所定の条件を満たしたとの判断結果である場合には、前記記録ステップでの記録を実行し又は中断させるための命令である記録命令を出力する記録命令出力ステップと、
を含む放送記録装置の動作方法。
【請求項８】
前記記録ステップでの記録状況情報を管理する記録状況情報管理ステップと、
前記記録状況情報管理ステップで管理されている記録状況情報を表示する表示ステップと、をさらに有する請求項７に記載の放送記録装置の動作方法。
【発明の詳細な説明】
【技術分野】
【０００１】
本発明は、放送記録装置に関するものである。
【背景技術】
【０００２】
従来の放送記録装置では、放送の記録中に気象条件等により放送受信が困難になった場合でも、乱れた放送もしくはブルーバックスクリーン等の記録が行われている。しかし、従来の放送記録装置は、受信状態が良好な環境に設置されて利用される場合がほとんどであるため、上記の例のような突発的な条件で受信が困難になり記録に支障が発生することは稀であるため問題とはならなかった。
【０００３】
また、移動情報端末装置においては、受信レベルの劣化によって、記録処理の継続が困難になった場合には、使用者にアラーム通知を行うなどの方法が行われている（例えば、特許文献１参照）。
【特許文献１】特開２００４−１５３３３３号公報
【発明の開示】
【発明が解決しようとする課題】
【０００４】
悪化した受信状態は回復する可能性もあり、一旦受信困難な状態が発生したからといって必ずしも記録を打ち切る必要はない。
【０００５】
しかしながら、放送受信が困難な状態であるにもかかわらず、その放送の記録を続けることは限られた記録媒体および電力の無駄遣いとなってしまう。また、記録した番組を再生する際も無駄なデータを視聴することとなり、視聴者の利便性を損なうことになる。
【０００６】
特に、移動の多い携帯端末等の放送記録装置の場合には、受信状態が常に変動するため、受信困難な状態が頻繁に発生する場合が想定される。また、固定された放送記録装置に関しても、突発的な条件で受信困難な状態が発生した場合には同様の不都合が発生する。
【課題を解決するための手段】
【０００７】
本発明は、かかる実情に鑑み、放送記録中に受信状態に応じて、記録の一時停止・再開を可能とする放送記録装置を提案する。
【０００８】
この放送記録装置は、受信レベルをチェックし、放送の受信が困難な状態であれば、記録を一時停止し、受信状態が回復したら再開するものである。
【０００９】
また、記録の実行・中断にかかわる記録状況情報を管理し、記録を再生する際に視聴者が確認できるようにすることも可能である。
【発明の効果】
【００１０】
本発明の放送記録装置においては、受信状態に応じて記録を一時停止・再開することが可能となり、受信状態の悪い、視聴が困難な放送を記録することによる記録媒体や電力の無駄を省くことができる。
【００１１】
また、記録状況情報を管理し、受信状態の悪化によって記録できなかった箇所を表示して、視聴者に記録したデータを視聴する際の便宜を供することができる。
【発明を実施するための最良の形態】
【００１２】
以下に、各発明を実施するための最良の形態を説明する。なお、本発明はこれら実施の形態に何ら限定されるものではなく、その要旨を逸脱しない範囲において、種々なる態様で実施しうる。
【００１３】
実施形態１は、主に請求項１，７等について説明する。実施形態２は、主に請求項２，８等について説明する。実施形態３は、主に請求項３等について説明する。実施形態４は、主に請求項４等について説明する。実施形態５は、主に請求項５等について説明する。実施形態６は、主に請求項６等について説明する。
【００１４】
<<実施形態１>>
<実施形態１の概要>
本実施形態は、放送の受信レベルをチェックし、受信状態がよくない場合には、放送の記録を一時停止し、受信状態が良好になった時点で再開することを可能とする放送記録装置である。
【００１５】
図１は、本実施形態の概念の一例を示すものである。受信レベルが低下し、視聴が困難な状態の間は、記録を一時停止し、受信状態が回復したら再開する。図１においては、受信状態の悪化したＴ２からＴ３の間は記録を中断する。
【００１６】
<実施形態１の構成>
図２は、本実施形態の機能ブロックの一例示す。図２に示す本実施形態の「放送記録装置」（０２００）は、「受信部」（０２１０）と、「記録部」（０２２０）と、「受信レベル判断部」（０２３０）と、「記録命令出力部」（０２４０）とからなる。
【００１７】
「受信部」（０２１０）は、放送を受信するために設けられる。機器により対象とする放送の種別は異なるが、地上デジタル放送を含むテレビ・ラジオ放送一般が対象として考えられる。
【００１８】
「記録部」（０２２０）は、前記受信部で受信した放送を記録するために設けられる。ＨＤＤ，ＤＶＤ等の記録装置への記録を行う。
【００１９】
「受信レベル判断部」（０２３０）は、前記受信部での受信レベルが所定の条件を満たしているかを判断するために設けられる。
【００２０】
所定の条件とは、受信中の放送に関して、
・視聴可能であり記録を実行できる受信状況である
・視聴困難であり記録を中断しなければならない受信状況である
のどちらかであるかを判断するために設定するものであり、機器の性能や機能等により、設定条件は異なる可能性がある。例えば、受信レベルが各機器に関して設定された値以上であれば視聴可能、未満であれば視聴困難と判断する、または、更にその状態が一定時間維持されている場合のみ、視聴可能・視聴困難と判断する等が考えられる。
【００２１】
「記録命令出力部」（０２４０）は、前記受信レベル判断部での判断結果が、受信レベルが所定の条件を満たしたとの判断結果である場合には、前記記録部での記録を実行し又は中断させるための命令である記録命令を出力するために設けられる。前記記録部は、記録命令に従って、記録の実行・中断の処理を行う。
【００２２】
なお、受信レベル判断部での判断結果が、所定の条件を満たしていないというものであっても、所定の条件の設定によっては記録命令を出力するようにする場合も考えられる。例えば、所定の条件として、視聴可能であるかどうかのみを判断する場合には、条件を満たしている場合には記録を実行するための記録命令を出力し、条件を満たしていない場合には記録を中断させるための記録命令を出力するように処理を行うことが考えられる。
【００２３】
記録命令には、記録実行および記録中断の２通りのものを使用することが考えられる。記録実行のための記録命令が出力された場合には、記録部は、記録実行中であれば処理を継続し、記録中断中であれば、再開のための処理を行い、記録を実行する。記録中断のための記録命令が出力された場合には、記録部は、記録実行中であれば記録を中断するための処理を行い、記録中断中であれば、そのままの状態を保つ。
【００２４】
所定の条件の設定によっては、前記受信レベル判断部での判断結果が、受信レベルは所定の条件を満たしていないとなる場合も考えられる。この場合には、記録命令は出力されないので、前記記録部は、次の判断が下されるまで、その時点での状態を継続する、即ち、記録実行中であればそのまま実行を続け、記録中断中であれば再開されないこととなる。
【００２５】
なお、記録命令は１種のみとし、記録実行・中断の区別をしない方式をとることも考えらえる。この場合には、前記受信レベル判断部は、受信レベルが所定の条件を満たしていても、前記記録部における記録状態に変更がある場合のみ、所定の条件を満たしたとの判断結果を下し、記録命令が出力されるように制御を行う。
【００２６】
前記記録部は、記録命令が出力された場合には、記録状態を変更する、すなわち、記録実行中であれば中断し、記録中断中であれば再開のための処理を行うこととなる。
【００２７】
<実施形態１の具体例の説明>
本実施形態の具体例を挙げて説明する。図３に本実施形態の具体的機能ブロックの一例を示す。この具体例においては、受信レベル判断部が、保持する判断条件により受信レベルをチェックし、記録動作を実行または中断するべきかどうかの判断を行い、記録命令出力部は、前記受信レベル判断部の判断結果に従い、記録実行もしくは中断のための記録命令を出力する。
【００２８】
受信レベル判断部における判断条件としては、
・受信レベルの値のみにより判断する
１つもしくは２つの数値を設定し、受信レベルがある値以上であれば視聴可能、
ある値未満（もしくは以下）であれば視聴困難であると判断する
・受信レベルの値と時間的要素とにより判断する
上記の受信レベルのみにより判断された状態が一定時間維持されていて初めて視聴
可能、もしくは、視聴困難であると判断する
等が考えられる。
【００２９】
この具体例においては、Ｒｈ，Ｒｌの２つの値を設定し（Ｒｈ>Ｒｌである）、
受信レベル>＝Ｒｈの場合に視聴可能
受信レベル<  Ｒｌの場合に視聴困難
であると判断する場合を考える。
【００３０】
なお、Ｒｈ>受信レベル>＝Ｒｌであった場合には、視聴可能・視聴困難の判断を下せないので所定の条件を満たしていないと判断する。受信レベル判断部は、一定あるいはランダムな間隔で、放送の受信レベルをチェックし、上記条件を満たすかどうかを判断するものとする。
【００３１】
この具体例においては、放送の受信レベルが、図３の、グラフのように推移するとして、記録実行中の(1)の時点から、(2)、(3)、(4)…の時点で受信レベルのチェックを行う。
【００３２】
受信部（０３１０）は、放送アンテナ等より、放送を受信する。
【００３３】
受信レベル判断部（０３３０）は、まず、その時点での放送の受信レベルをチェックする。
【００３４】
各時点での受信レベルをＲ１〜Ｒ８として表すと、Ｒ１、Ｒ２，Ｒ６，Ｒ７，Ｒ８は、
受信レベル>＝Ｒｈ
となり、視聴可能な状態として所定の条件を満たすと判断される。
【００３５】
記録命令出力部（０３４０）は、受信レベル判断部での判断に従い、記録を実行するための記録命令を出力する。
【００３６】
記録部（０３２０）は、記録命令に従い、記録を実行する。
【００３７】
(1)、(2)、(7)、(8)の時点では記録は実行中なので、そのまま記録を続行し、(6)の時点では記録は中断された状態であるため、再開のための処理を行い、記録を再開する。
【００３８】
同様に、Ｒ３，Ｒ４に関しては、  
受信レベル<  Ｒｌ
となり、視聴困難な状態として所定の条件を満たすと判断され、記録命令出力部（０３４０）は、受信レベル判断部での判断に従い、記録を中断するための記録命令を出力する。
【００３９】
記録部（０３２０）は、記録命令に従って、記録を中断する。
【００４０】
(3)の時点では、実行中の記録を中断するための処理を行い、(4)の時点では既に中断されているので、そのままの状態を保つ。
【００４１】
なお、Ｒ５に関しては、Ｒｌ<＝受信レベル<Ｒｈとなり、視聴可能・視聴困難の判断は下せず、所定の条件を満たさないと判断されるため、記録命令は出力されず、記録は中断したままとなる。
【００４２】
以上のような処理により、この具体例においては、(1)〜(3)、(6)以降の間、記録が実行されている。なお、(8)以降においても、同様の処理が継続され、記録の実行・中断が行われる。
【００４３】
<実施形態１の処理の流れ>
図４は、実施形態１での処理の流れの一例を示したものである。本実施形態における放送記録装置の動作方法は以下に示すステップよりなる。放送記録処理は、視聴者、もしくはタイマーの設定などによる記録実行指示により起動され、記録開始のための処理を行い、放送を受信するための処理を行う（受信ステップ  Ｓ０４１０）。視聴者、もしくはタイマーのタイムアウトなどによる記録実行停止指示がある場合には、そのまま処理を終了する。前記受信ステップでの受信レベルが所定の条件を満たしているか判断するための処理を行う（受信レベル判断ステップ  Ｓ０４３０）。前記受信レベル判断ステップでの判断結果が、受信レベルが所定の条件を満たしたとの判断結果である場合には、記録を実行し又は中断させるための命令である記録命令を出力するための処理を行う（記録命令出力ステップ  Ｓ０４４０）。前記記録命令により、前記受信ステップで受信した放送の記録を実行し又は中断するための処理を行う（記録ステップ  Ｓ０４５０）。なお、受信レベル判断部での所定の条件に関する判断の一例を図５に示す。
【００４４】
<実施形態１の効果>
本発明の放送記録装置においては、受信状態に応じて記録を一時停止・再開することが可能となり、受信状態の悪い、視聴が困難な放送を記録することによる記録媒体や電力の無駄を省くことができる。
【００４５】
<<実施形態２>>
<実施形態２の概要>
本実施形態は、放送の受信レベルをチェックし、受信状態がよくない場合には、放送の記録を一時停止し、受信状態が良好になった時点で再開することを可能とする放送記録装置であり、記録の実行・中断にかかわる記録状況情報を管理し、視聴者に提供することを特徴とする。
【００４６】
<実施形態２の構成>
本実施形態の機能ブロックの一例を図６に示す。図６に示す本実施形態の「放送記録装置」（０６００）は、「受信部」（０６１０）と、「記録部」（０６２０）と、「受信レベル判断部」（０６３０）と、「記録命令出力部」（０６４０）と、「記録状況情報管理部」（０６５０）と、「表示部」（０６６０）とからなる。
【００４７】
前記「記録状況情報管理部」（０６５０）と、「表示部」（０６６０）とを除いた構成は実施形態１と共通であり、本実施形態は、記録の実行・中断にかかわる記録状況情報を管理し、表示することを特徴とする。
【００４８】
「記録状況情報管理部」（０６５０）は、前記記録部（０６２０）での記録状況情報を管理するために設けられる。
【００４９】
ここで、「記録状況情報」とは、前記記録部における放送の記録実行・中断の状況に関する情報であり、例えば、実行・中断処理が発生した時刻や、記録を開始してからの経過時間、実行・中断の経過時間等が考えられる。記録状況情報管理部（０６５０）は、記録状況情報を放送記録の付加情報として作成し、表示部（０６６０）での必要に応じて参照する。
【００５０】
「表示部」（０６６０）は、前記記録状況情報管理部（０６５０）で管理されている記録状況情報を表示するために設けられる。記録された放送に中断があった場合に、どこが記録されなかったのかを視聴者が参照するための手段を提供するものである。
【００５１】
<実施形態２の具体例の説明>
放送の受信状態によって記録の中断・再開を行うと、記録された放送を再生する際、記録に中断があっても、どこがどれだけ記録されなかったのかが不明となり、視聴者に不都合が生じることが考えられる。そこで、この放送記録装置では、記録実行・中断の状況に関して、視聴者が参照するための手段を提供する。
【００５２】
本具体例においては、実施形態１におけると同様に、受信部、受信レベル判断部、記録命令出力部、記録部での処理を行い、さらに、中断の記録命令により記録の中断が行われた場合と、実行の記録命令により記録の再開が行われた場合とに、記録状況情報管理部の処理を行う。記録状況情報管理部は、記録命令と記録中断・再開の時刻とをもって記録状況情報を作成する。
【００５３】
図７に記録状況情報の一例を示す。ここでは、放送記録開始／終了時刻、および、記録中断・再開が発生した場合には、その内容と時刻とを記録状況情報としている。
【００５４】
表示部は、記録再生時、もしくは、記録処理中を含む任意の時点での視聴者の要求に従って記録状況情報に関する表示を行うものとすることが考えられる。
【００５５】
図８に記録状況情報を表示する画面の一例を示す。ここでは、番組名・記録日などの情報と、記録実行が行われた時間とを表示している。
【００５６】
<実施形態２の処理の流れ>
図９は、実施形態２での処理の流れの一例を示したものである。本実施形態における放送記録装置の動作方法は以下に示すステップよりなる。実施形態１におけると同様に、受信ステップ（Ｓ０９１０）から記録ステップ（Ｓ０９５０）の処理を行う。その後、記録の実行・中断の処理に伴い、前記記録ステップでの記録状況情報を管理するための処理を行う（記録状況情報管理ステップ  Ｓ０９６０）。
【００５７】
記録再生時、もしくは、記録処理中を含む任意の時点での視聴者の要求などに従って、前記記録状況情報管理ステップで管理されている記録状況情報を表示するための処理を行う（表示ステップ）。
【００５８】
<実施形態２の効果>
本発明の放送記録装置においては、受信状態に応じて行った、記録実行・中断の記録状況情報を管理・表示することが可能となる。また、記録の中断があった場合に、その記録状況情報に関して、視聴者に表示することにより、どこがどれだけ記録されなかったのかを明らかにし、視聴者の便宜を図ることができる。
【００５９】
<<実施形態３>>
<実施形態３の概要>
本実施形態は、放送の受信レベルをチェックし、受信状態がよくない場合には、放送の記録を一時停止し、受信状態が良好になった時点で再開することを可能とする放送記録装置であり、記録の実行・中断にかかわる記録状況情報を管理し、記録中断時間の情報を併せて視聴者に提供することを特徴とする。
【００６０】
<実施形態３の構成>
本実施形態の機能ブロックの一例を図１０に示す。図１０に示す本実施形態の「放送記録装置」（１０００）は、「受信部」（１０１０）と、「記録部」（１０２０）と、「受信レベル判断部」（１０３０）と、「記録命令出力部」（１０４０）と、「記録状況情報管理部」（１０５０）と、「表示部」（１０６０）とからなり、前記「記録状況情報管理部」（１０５０）は、「記録中断時間計算手段」（１０５１）を有する。
【００６１】
前記「記録中断時間計算手段」（１０５１）を除いた構成は実施形態２と共通であり、本実施形態は、管理している記録状況情報から記録中断時間を求めることができることを特徴とする。
【００６２】
「記録中断時間計算手段」（１０５１）は、前記記録命令に基づいた記録中断時間を計算するために設けられる。記録中断時間は、記録状況情報として管理されている、記録命令による記録中断が行われた時刻から次の記録実行が行われた時刻までの時間を算出することで求めることができ、それぞれの記録中断時間を合計することで記録中の総中断時間を算出することができる。
【００６３】
図１１に記録中断時間を含む記録状況情報を表示する画面の一例を示す。
【００６４】
<実施形態３の処理の流れ>
本実施形態における放送記録装置の処理の流れは、実施形態２における処理と同様である。ただし、記録状況情報管理ステップにおいて、記録命令に基づいた記録中断時間を計算するための処理を行い、表示ステップにおいて、当該の記録中断時間も併せた表示を行う。
【００６５】
<実施形態３の効果>
本発明の放送記録装置においては、受信状態に応じて行った、記録実行・中断の記録状況情報を管理・表示することが可能となる。また、記録の中断があった場合に、その記録状況情報に関して、記録中断時間を併せて表示することにより、どれほどの中断時間があったのかが一目でわかるようになり、より視聴者の便宜を図ることができる。
【００６６】
<<実施形態４>>
<実施形態４の概要>
本実施形態は、放送の受信レベルをチェックし、受信状態がよくない場合には、放送の記録を一時停止し、受信状態が良好になった時点で再開することを可能とする放送記録装置であり、記録の実行・中断にかかわる記録状況情報を管理し、記録中断回数の情報を併せて視聴者に提供することを特徴とする。
【００６７】
<実施形態４の構成>
本実施形態の機能ブロックの一例を図１２に示す。図１２に示す本実施形態の「放送記録装置」（１２００）は、「受信部」（１２１０）と、「記録部」（１２２０）と、「受信レベル判断部」（１２３０）と、「記録命令出力部」（１２４０）と、「記録状況情報管理部」（１２５０）と、「表示部」（１２６０）とからなり、前記「記録状況情報管理部」（１２５０）は、「記録中断回数計算手段」（１２５１）を有する。
【００６８】
前記「記録中断回数計算手段」（１２５１）を除いた構成は実施形態２又は３と共通であり、本実施形態は、管理している記録状況情報から記録中断回数を求めることができることを特徴とする。
【００６９】
「記録中断回数計算手段」（１２５１）は、前記記録命令に基づいた記録中断回数を計算するために設けられる。記録中断回数は、記録状況情報として管理されている、記録命令による記録中断が行われた回数をカウントすることにより算出することができる。
【００７０】
図１３に記録中断時間を含む記録状況情報を表示する画面の一例を示す。
【００７１】
<実施形態４の処理の流れ>
本実施形態における放送記録装置の処理の流れは、実施形態２または３における処理と同様である。ただし、記録状況情報管理ステップにおいて、記録命令に基づいた記録中断回数を計算するための処理を行い、表示ステップにおいて、当該の記録中断回数も併せた表示を行う。
【００７２】
<実施形態４の効果>
本発明の放送記録装置においては、受信状態に応じて行った、記録実行・中断の記録状況情報を管理・表示することが可能となる。また、記録の中断があった場合に、その記録状況情報に関して、記録中断回数を併せて表示することにより、どれほどの中断回数があったのかが一目でわかるようになり、より視聴者の便宜を図ることができる。
【００７３】
<<実施形態５>>
<実施形態５の概要>
本実施形態は、放送の受信レベルをチェックし、受信状態がよくない場合には、放送の記録を一時停止し、受信状態が良好になった時点で再開することを可能とする放送記録装置であり、記録の実行・中断の状況により、受信状態の良好な箇所を再生のために抽出することを特徴とする。
【００７４】
<実施形態５の構成>
本実施形態の機能ブロックの一例を図１４に示す。図１４に示す本実施形態の「放送記録装置」（１４００）は、「受信部」（１４１０）と、「記録部」（１４２０）と、「受信レベル判断部」（１４３０）と、「記録命令出力部」（１４４０）と、「記録状況情報管理部」（１４５０）と、「表示部」（１４６０）と、「再生パート抽出部」（１４７０）とからなる。
【００７５】
前記「再生パート抽出部」（１４７０）を除いた構成は実施形態２から４と共通であり、本実施形態は、管理している記録状況情報から、受信状態が良好で視聴に耐える箇所を再生のために抽出することを特徴とする。
【００７６】
「再生パート抽出部」（１４７０）は、前記記録状況情報管理部（１４５０）での記録状況情報に基づいて再生すべき記録放送部分である再生パートを抽出するために設けられる。受信状態が安定せず、頻繁に記録が中断された箇所がある場合等も、その部分を省いて視聴しやすいデータとして再生することができる。再生パート抽出部は、中断された各記録部分について、再生パートとするかどうかを判断し、該当する記録部分についてのみ再生処理を行うように制御する。
【００７７】
具体的には、中断された各記録部分の記録時間を記録状況情報として管理されている記録実行時刻と記録中断時刻とから算出し、設定された時間未満の場合には記録中断中として除外し、設定された時間以上記録を続けた部分だけを再生パートとすることや、視聴者が、受信状況情報を参照して各記録部分を再生するかどうかを指定できるようにし、再生を指示された部分だけを再生パートとすること等が考えられ、また、両者を併用し、設定された時間以上記録された記録部分から更に視聴者の指示により再生パートを選択する等のことも考えられる。
【００７８】
図１５に視聴者が再生指示を行うための表示の一例を示す。記録状況を表示し、各記録部分について、再生を行うかどうかを指示し、その部分を再生パートとして抽出する。図１５においては、記録の中断の様子がわかるように記録状況を表示し、記録時間で表した各記録部分を再生するかどうかを指示するためのチェックボックスを用意する。視聴者が再生したい部分をチェックすると、その記録部分を再生パートとして選択する。ここでは、どれほどの記録部分が選択されたかが一目で分かるように、その指示を反映した再生指示状況を併せて表示している。
【００７９】
<実施形態５の処理の流れ>
本実施形態における放送記録装置の処理の流れは、実施形態２から４における処理と同様である。ただし、記録の再生時、記録状況情報管理ステップにおいて管理されている記録状況情報に基づいて再生すべき記録放送部分である再生パートを抽出するための処理を行う。
【００８０】
<実施形態５の効果>
本発明の放送記録装置においては、受信状態に応じて行った記録実行・中断の記録状況情報を管理することにより、受信状態が悪化して記録の中断が行われた場合にも、受信状態が良好で視聴に耐える箇所を抽出して再生することが可能となり、視聴者にとって有用な記録を提供することができる。
【００８１】
<<実施形態６>>
<実施形態６の概要>
本実施形態は、放送の受信レベルをチェックし、受信状態がよくない場合には、放送の記録を一時停止し、受信状態が良好になった時点で再開することを可能とする放送記録装置を備えた携帯型端末装置である。
【００８２】
<実施形態６の構成>
本実施形態の機能ブロックの一例を図１６に示す。図１６に示す本実施形態の「放送記録装置」（１６１０）は、「受信部」（１６１１）と、「記録部」（１６１２）と、「受信レベル判断部」（１６１３）と、「記録命令出力部」（１６１４）とからなり、「携帯型端末装置」（１６００）に実装される。本実施形態の放送記録装置の構成は、実施形態１と同様であり、また、実施形態２から５のいずれとも同様に構成される。
【００８３】
「携帯型端末装置」（１６００）は、地上デジタル放送を視聴および記録・再生できるものを含み、様々の放送を受信および記録・再生する機能を持つ携帯型端末装置である。
【００８４】
携帯型端末装置は移動しながら使用することを前提としており、十分な受信状態を常に確保できる保証はない。ただし、劣化した受信レベルは、移動に伴って条件が変動するため、回復する可能性が高い。
【００８５】
このような状況において、携帯型端末装置に当該の放送記録装置を実装することにより、十分な受信レベルが得られない放送を記録することによる記録媒体や電力の無駄を省き、有効な記録のみを視聴者に提供することができる。
【００８６】
<実施形態６の効果>
本発明の携帯型端末装置においては、十分な受信レベルが得られない放送を記録することによる記録媒体や電力の無駄を省き、有効な記録のみを視聴者に提供することにより、移動しながら使用することに伴う弱点を克服する助けとなることができる。
【００８７】
<<その他の実施形態>>
その他の実施形態の構成の一例を図１７に示す。本実施形態は携帯型端末装置に本発明を適用した例である。図１７における受信動画／音声データ（１７２０）は前記受信部に、録画機能部（１７３０）および記録装置（１７５０）は前記記録部に、受信状態監視部（１７６０）は前記受信レベル判断部および前記記録命令出力部に、録画時刻管理部（１７７０）および中断時刻情報（１７４２）は前記記録状況情報管理部に、録画データ管理表示部（１７９０）は前記表示部に、録画中断情報解析部（１７８０）は前記記録中断時間計算手段および前記記録中断回数計算手段および前記再生パート抽出部に、それぞれ対応する。
【００８８】
本実施形態にて録画をする場合の状態遷移図を図１８に示す。ユーザーにより録画開始のボタンが押された場合（１８１０）、まず受信状態監視部（１７６０）が録画できる状態か判断する。録画可能と判断された場合、受信状態監視部（１７６０）より録画機能部（１７３０）および録画時刻管理部（１７７０）に対して録画を再開するための信号が送られ録画が開始され、録画時刻管理部（１７７０）は録画開始時刻を記録する（１８２０）。
【００８９】
もし録画開始時もしくは録画中（１８４０）に、受信が困難になった場合、受信状態監視部（１７６０）より録画機能部（１７３０）および録画時刻管理部（１７７０）に対して録画を一時中断させる信号が送られる。このとき録画機能部（１７３０）は録画を停止し録画時刻管理部（１７７０）は録画停止時刻を記録する（１８３０）。
【００９０】
再び受信ができるようになった時、受信状態監視部（１７６０）より録画機能部（１７３０）および録画時刻管理部（１７７０）に対して録画を再開するための信号が送られる。これにより録画機能部（１７３０）は録画を再開し、また録画時刻管理部（１７７０）は録画開始時刻を記録する（１８２０）。
【００９１】
これらの録画中断時刻および録画再開時刻のデータは映像／音声データの中にあるならばこれを流用してもよい。
【産業上の利用可能性】
【００９２】
本発明によれば、放送記録時、受信レベルに変動があった場合、受信状態に応じて記録を一時停止・再開することが可能となり、視聴が困難な放送を記録することによる無駄を省くことができるため、放送記録装置として有用である。
【図面の簡単な説明】
【００９３】
【図１】実施形態１を説明するための概念図
【図２】実施形態１を説明するための機能ブロック図
【図３】実施形態１を説明するための具体的機能ブロック図
【図４】実施形態１の処理の流れを説明する図
【図５】実施形態１の処理の流れを説明する図
【図６】実施形態２を説明するための機能ブロック図
【図７】実施形態２を説明するための記録状況情報の一例を示す図
【図８】実施形態２を説明するための記録状況情報の表示の一例を示す図
【図９】実施形態２の処理の流れを説明する図
【図１０】実施形態３を説明するための機能ブロック図
【図１１】実施形態３を説明するための記録状況情報の表示の一例を示す図
【図１２】実施形態４を説明するための機能ブロック図
【図１３】実施形態４を説明するための記録状況情報の表示の一例を示す図
【図１４】実施形態５を説明するための機能ブロック図
【図１５】実施形態５を説明するためのユーザーインターフェースの一例を示す図
【図１６】実施形態６を説明するための機能ブロック図
【図１７】その他の実施形態を説明するための機能ブロック図
【図１８】その他の実施形態を説明するための状態遷移図の一例を示す図
【符号の説明】
【００９４】
０２００    放送記録装置
０２１０    受信部
０２２０    記録部
０２３０    受信レベル判断部
０２４０    記録命令出力部
【図１】
2006140583.tif 000003
【図２】
2006140583.tif 000004
【図３】
2006140583.tif 000005
【図４】
2006140583.tif 000006
【図５】
2006140583.tif 000007
【図６】
2006140583.tif 000008
【図７】
2006140583.tif 000009
【図８】
2006140583.tif 000010
【図９】
2006140583.tif 000011
【図１０】
2006140583.tif 000012
【図１１】
2006140583.tif 000013
【図１２】
2006140583.tif 000014
【図１３】
2006140583.tif 000015
【図１４】
2006140583.tif 000016
【図１５】
2006140583.tif 000017
【図１６】
2006140583.tif 000018
【図１７】
2006140583.tif 000019
【図１８】
2006140583.tif 000020